(57)【要約】【課題】店内における商品配置に応じて、広告表示データの変更作業を容易に行い得る広告配信装置等を提供する。【解決手段】店内に配置された１以上の電子ＰＯＰ装置１０に対し、広告表示データを配信する広告配信サーバ２０であって、広告配信サーバ２０は、１以上の電子ＰＯＰ装置１０の配置を示す配置情報と、店内における各商品の配置を示す棚割り情報と、各商品に対応する複数の広告表示データと、を記憶しており、配置情報および棚割り情報に基づいて、複数の広告表示データの中から各電子ＰＯＰ装置１０に表示すべき広告表示データを抽出し、抽出した広告表示データを各電子ＰＯＰ装置１０に配信する。【選択図】図１
2010020050.tif 000002
【特許請求の範囲】
【請求項１】
店内における１以上の表示装置の配置を示す配置情報を記憶する配置情報記憶部と、
前記店内における各商品の配置を示す棚割り情報を記憶する棚割り情報記憶部と、
各商品に対応する複数の広告表示データを記憶する広告表示データ記憶部と、
前記配置情報および前記棚割り情報に基づいて、前記複数の広告表示データの中から、各表示装置に表示すべき前記広告表示データを抽出する広告表示データ抽出部と、
前記広告表示データ抽出部の抽出にしたがって、各表示装置に前記広告表示データを配信する広告表示データ配信部と、を備えたことを特徴とする広告配信装置。
【請求項２】
前記広告表示データ抽出部は、前記商品の位置と、当該商品の広告表示データを表示する前記表示装置の位置と、が最も近くなるように、各表示装置に表示すべき前記広告表示データを抽出することを特徴とする請求項１に記載の広告配信装置。
【請求項３】
前記広告表示データ抽出部および前記広告表示データ配信部は、前記配置情報または前記棚割り情報の変更に伴って、前記広告表示データの抽出および配信を行うことを特徴とする請求項１または２に記載の広告配信装置。
【請求項４】
請求項１ないし３のいずれか１項に記載の広告配信装置と、
前記１以上の表示装置と、から成ることを特徴とする広告配信システム。
【請求項５】
店内に配置された１以上の表示装置に対し、広告表示データを配信する広告配信装置の制御方法であって、
前記広告配信装置が、
前記１以上の表示装置の配置を示す配置情報を取得するステップと、
前記店内における各商品の配置を示す棚割り情報を取得するステップと、
各商品に対応する複数の広告表示データを取得するステップと、
前記配置情報および前記棚割り情報に基づいて、前記複数の広告表示データの中から、各表示装置に表示すべき前記広告表示データを抽出するステップと、
抽出した前記広告表示データを各表示装置に配信するステップと、を実行することを特徴とする広告配信装置の制御方法。
【請求項６】
コンピュータに、請求項５に記載の広告配信装置の制御方法における各ステップを実行させるためのプログラム。
【発明の詳細な説明】
【技術分野】
【０００１】
電子ＰＯＰ装置などの表示装置（デジタルサイネージ）に、広告表示データを配信する広告配信装置、広告配信システム、広告配信装置の制御方法およびそのプログラムに関する。
【背景技術】
【０００２】
従来、スーパーなどの小売店において、商品の近くに設置され、当該商品に関する広告表示データを表示する電子ＰＯＰ装置（表示装置）が知られている（例えば、特許文献１）。この種の電子ＰＯＰ装置は、メモリカード等に複数の広告表示データ（静止画や動画）を記録し、これを読み取ることによって複数の広告表示データを繰り返し表示するようになっている。また、店舗のバックヤードに配置された管理サーバから、各電子ＰＯＰ装置へ広告表示データを配信する技術も提案されている。
【０００３】
一方、小売店では、販売戦略の一種として、時間帯や客層に応じ、頻繁に店内レイアウトや棚割りを変更する。近年では、特定の商品の売り上げ増加を目的として、メーカや卸売業者の担当者が、自ら小売店内の商品配置作業を行うといったことも多く、商品配置の変更はさらに頻繁となってきている。
【特許文献１】特開２００１−６７５５１号公報
【発明の開示】
【発明が解決しようとする課題】
【０００４】
ところで、店内レイアウトや棚割りを変更する場合、電子ＰＯＰ装置を採用している小売店では、各売り場に配置された電子ＰＯＰ装置に表示する広告表示データを変更する作業も必要となる。広告表示データの表示場所と、その広告対象となる商品とは、できるだけ近い場所にある方が、高い広告効果を期待できるためである。
【０００５】
しかしながら、電子ＰＯＰ装置に、メモリカード等の記憶媒体を用いて広告表示データの供給を行う場合、広告表示データの変更作業として、メモリカード内の複数の広告表示データを記録し直す必要がある。また、管理サーバから広告表示データの配信を行う場合も、広告表示データを新たに配信し直す必要がある。つまり、小売店では、各売り場の店員が、店内レイアウトや棚割りを変更した後、変更された商品配置を記憶しておくか、メモに書き留めておき、バックヤードに戻ってから広告表示データの変更作業を行う必要がある。このような作業は、閉店後であればそれ程大きな問題ではないかもしれないが、営業中の作業としては負担が大きく、広告表示データの変更作業が追いつかないために、電子ＰＯＰ装置の表示と、商品配置とが一致しない事態が生じてしまう（離れた場所にある商品の広告表示データを表示してしまう）といった問題があった。
【０００６】
本発明は、このような問題点に鑑み、店内における商品配置に応じて、広告表示データの変更作業を容易に行い得る広告配信装置、広告配信システム、広告配信装置の制御方法およびそのプログラムを提供することを目的とする。
【課題を解決するための手段】
【０００７】
本発明の広告配信装置は、店内における１以上の表示装置の配置を示す配置情報を記憶する配置情報記憶部と、店内における各商品の配置を示す棚割り情報を記憶する棚割り情報記憶部と、各商品に対応する複数の広告表示データを記憶する広告表示データ記憶部と、配置情報および棚割り情報に基づいて、複数の広告表示データの中から、各表示装置に表示すべき広告表示データを抽出する広告表示データ抽出部と、広告表示データ抽出部の抽出にしたがって、各表示装置に広告表示データを配信する広告表示データ配信部と、を備えたことを特徴とする。
【０００８】
本発明の広告配信装置の制御方法は、店内に配置された１以上の表示装置に対し、広告表示データを配信する広告配信装置の制御方法であって、広告配信装置が、１以上の表示装置の配置を示す配置情報を取得するステップと、店内における各商品の配置を示す棚割り情報を取得するステップと、各商品に対応する複数の広告表示データを取得するステップと、配置情報および棚割り情報に基づいて、複数の広告表示データの中から、各表示装置に表示すべき広告表示データを抽出するステップと、抽出した広告表示データを各表示装置に配信するステップと、を実行することを特徴とする。
【０００９】
これらの構成によれば、表示装置に広告表示データを配信する広告配信装置が、１以上の表示装置の配置を示す配置情報と、各商品の配置を示す棚割り情報と、に基づいて、複数の広告表示データの中から各表示装置に表示すべき広告表示データを抽出するため、商品配置が変更された場合でも、その変更に伴う棚割り情報の変更に基づいて、広告表示データの変更作業を容易に行うことができる。つまり、従来店員は、店内の商品配置変更作業後、バックヤードに戻って広告表示データの変更作業を行うといった二重の作業が必要であったが、本発明の構成によれば、配置情報の変更のみで広告表示データを変更できるため、その作業負担を大幅に軽減することができる。
なお「配置情報」および「棚割り情報」は、配置マップであっても良いし、それぞれの配置を数値または記号で表した配置表であっても良い。また、「棚割り情報」は、陳列棚における商品の陳列に関する情報のみならず、店内における配置（店内レイアウト）に関する情報も含む概念である。
また、「表示装置」とは、電子ＰＯＰ装置、店内ディスプレイおよび電子看板など、各種デジタルサイネージ全般を含む概念である。
【００１０】
上記に記載の広告配信装置において、広告表示データ抽出部は、商品の位置と、当該商品の広告表示データを表示する表示装置の位置と、が最も近くなるように、各表示装置に表示すべき広告表示データを抽出することを特徴とする。
【００１１】
この構成によれば、商品の位置と、最も近い位置にある表示装置に、当該商品の広告表示データを表示することができるため、そうでない場合と比較して高い広告効果を得ることができる。つまり、商品と表示装置とが近接した位置にあることで、顧客が商品広告を見た直後にその商品を手に取ることができ、売上増加に貢献できる。
【００１２】
上記に記載の広告配信装置において、広告表示データ抽出部および広告表示データ配信部は、配置情報または棚割り情報の変更に伴って、広告表示データの抽出および配信を行うことを特徴とする。
【００１３】
この構成によれば、配置情報または棚割り情報の変更に伴って、広告表示データの抽出および配信を行うため、表示装置や商品の配置変更を行った場合、各情報のみを変更すればよく、広告表示データの抽出および配信のための特別な操作を必要としない。また、これにより表示装置の表示と、商品配置とが常に一致した状態となる（商品から離れた位置でその商品の広告表示データが表示されることがない）ため、高い広告効果を得ることができる。
【００１４】
本発明の広告配信システムは、上記に記載の広告配信装置と、１以上の表示装置と、から成ることを特徴とする。
【００１５】
この構成によれば、店内における商品配置に応じて、広告表示データの変更作業を容易に行い得る広告配信システムを構築することができる。
【００１６】
本発明のプログラムは、コンピュータに、上記に記載の広告配信装置の制御方法における各ステップを実行させるためのものであることを特徴とする。
【００１７】
このプログラムを実行することにより、店内における商品配置に応じて、広告表示データの変更作業を容易に行い得る広告配信装置の制御方法を実現することができる。
【発明を実施するための最良の形態】
【００１８】
以下、添付した図面を参照して、本発明の一実施形態に係る広告配信装置、広告配信システム、広告配信装置の制御方法およびそのプログラムについて説明する。図１は、本発明の広告配信システムＳＹのシステム構成図である。広告配信システムＳＹは、小売店等の店内に配置された複数台（図示では、２台）の電子ＰＯＰ装置１０（表示装置）と、店舗のバックヤードに設けられ、これら複数台の電子ＰＯＰ装置１０を統括管理する広告配信サーバ２０（広告配信装置）と、から成る。
【００１９】
本実施形態において、各電子ＰＯＰ装置１０は、商品の陳列棚３０毎に近接配置されており、同図に示すように、第１電子ＰＯＰ装置１０ａはＡ棚３０ａに、第２電子ＰＯＰ装置１０ｂはＢ棚３０ｂに、最も近接している。また、Ａ棚３０ａには、商品Ａａ〜Ａｄが陳列されており、Ｂ棚３０ｂには、商品Ｂａ〜Ｂｄが陳列されている。なお、電子ＰＯＰ装置１０の数や配置は任意であり、複数の陳列棚３０に対して１台設けられても良いし、陳列棚３０と関係なく配置されていても良い。本実施形態では、説明の便宜上、各電子ＰＯＰ装置１０の配置を、上記のとおり規定する。
【００２０】
各電子ＰＯＰ装置１０は、広告配信サーバ２０から配信された１以上の広告表示データに基づいて、各商品に関する広告映像を表示する。また、顧客の操作により、表示中の広告表示データに関連したクーポン５０を発行することも可能となっている。
【００２１】
一方、広告配信サーバ２０は、無線ＬＡＮ等のネットワークＮＴを介して各電子ＰＯＰ装置１０と接続されており、表示画面２１、キーボード２２およびマウス２３等を有する、一般的なパーソナルコンピュータにより構成される。広告配信サーバ２０は、店内における電子ＰＯＰ装置１０の配置や、商品の棚割が変更されると、それらを示す情報（配置情報および棚割り情報）の変更に伴って、各電子ＰＯＰ装置１０に表示すべき広告表示データを変更し、変更後の広告表示データを、該当する電子ＰＯＰ装置１０に配信する。これにより、店員は、商品の配置変更（棚割りの変更）に付随する広告表示データの変更作業を容易且つ迅速に行うことができるようになっている。
【００２２】
次に、図２を参照し、電子ＰＯＰ装置１０の装置構成について説明する。図２は、電子ＰＯＰ装置１０の外観斜視図である。電子ＰＯＰ装置１０は、ディスプレイ装置１１と、当該ディスプレイ装置１１を固定支持する装置本体１２と、を備えている。ディスプレイ装置１１は、有機ＥＬディスプレイや液晶ディスプレイ等のディスプレイ１３を有しており、当該ディスプレイ１３には、各商品の広告表示データを表示する。同図の例では、広告表示データとして、商品（牛乳パック等）の画像、商品名および商品の説明を表示している。なお、広告表示データは、静止画像であっても、動画像であっても良い。また、各広告表示データには、音声データが付加されており、これら両データを、以下「広告映像ファイル」と総称する。
【００２３】
また、ディスプレイ１３には、タッチパネル１４が重畳されている。タッチパネル１４は、ディスプレイ１３の表示エリアの略全域を覆うマトリクススイッチで構成され、指等の接触（タッチ）によってオン、オフ情報を取得する。このオン、オフ情報により、ユーザによる指等のタッチを検出する。例えば、ディスプレイ１３に広告表示データが表示されている状態で、顧客がタッチパネル１４をタッチすると、その広告表示データに関連するクーポン５０が、後述するクーポンプリンタ１８により印刷される。
【００２４】
一方、電子ＰＯＰ装置１０の装置本体１２には、各種設定を行うための設定ボタン１５と、音声を出力するスピーカ１６と、が設けられ、装置本体１２の底部には、電子ＰＯＰ装置１０を移動可能とするための４つのローラ１７が設けられている。さらに、装置本体１２には、上記のクーポンプリンタ１８が接続されている。
【００２５】
設定ボタン１５は、電子ＰＯＰ装置１０の各種設定・操作を行なう設定画面（（図示省略）を表示させるための操作子である。店員は、設定ボタン１５を押してディスプレイ１３上に設定画面を表示させ、タッチパネル１４を操作することで各種設定・操作を行うことができる。これら設定ボタン１５およびタッチパネル１４は、店員が、表示スケジュール（図７参照）の確認や変更を行うためにも用いられる。
【００２６】
スピーカ１６は、上記の広告映像ファイルに基づいて、各広告表示データに対応する音声データを出力する。また、顧客によりタッチパネル１４がタッチされた場合は、クーポン５０を発行する（または、発行した）旨の音声ガイダンスを行う。
【００２７】
クーポンプリンタ１８は、箱型の筐体内に、ロール状に巻回されたレシート用紙を収容する用紙収容部、レシート用紙を搬送する用紙搬送部、レシート用紙上に印刷データを印刷する印刷ヘッドを内蔵している（いずれも図示省略）。また、筐体前面に、印刷済みのレシート用紙（クーポン５０）を排出する排出口１９を有している。当該排出口１９にはクーポン５０の切断に利用される切断歯が設けられている。顧客は、排出口１９から排出された印刷済みのレシート用紙を、切断歯を利用して切り取り、クーポン５０を取得する。なお、クーポン５０の印刷に要する印刷データを、以下「広告印刷データ」と称する。
【００２８】
次に、図３を参照し、電子ＰＯＰ装置１０の制御構成について説明する。同図は、電子ＰＯＰ装置１０の制御ブロック図である。電子ＰＯＰ装置１０は、上記のとおり、ディスプレイ１３、タッチパネル１４、設定ボタン１５およびスピーカ１６を備えていると共に、クーポンプリンタ１８と接続されている。その他、電子ＰＯＰ装置１０は、装置本体１２内に、ＣＰＵ（Central Processing Unit）４１、ＲＯＭ（Read Only Memory）４２、ＲＡＭ（Random Access Memory）４３、通信部４４、タイマ４５および接続バス４６を備えている。
【００２９】
ＣＰＵ４１は、中央処理装置であり、各種演算処理を行う。ＲＯＭ４２は、ＣＰＵ４１が各種演算処理を行うための制御プログラムを記憶する。ＲＡＭ４３は、ＣＰＵ４１が各種演算処理を行うためのワークエリアとして用いられる。なお、本実施形態では、ＲＡＭ４３内に、広告配信サーバ２０から配信された１以上の広告映像ファイルおよび広告印刷データを、それぞれ記憶するための記憶領域が設けられている。
【００３０】
通信部４４は、広告配信サーバ２０と無線通信を行なうためのものであり、主に、広告映像ファイルおよび広告印刷データの受信や、広告映像ファイルの表示ログおよび装置状態を示す情報（内部エラー等）の送信に用いられる。タイマ４５は、現在時刻を計時する。計時された現在時刻は、ディスプレイ１３上に表示される。また、タイマ４５は、各広告映像ファイルの表示ログ（表示時刻または表示時間）を記録するためにも用いられる。
【００３１】
次に、図４を参照し、広告配信サーバ２０の制御構成について説明する。同図は、広告配信サーバ２０の制御ブロック図である。広告配信サーバ２０は、上記のとおり、表示画面２１、キーボード２２およびマウス２３を備えていると共に、ネットワークＮＴを介して接続された各電子ＰＯＰ装置１０と通信を行うための通信部２４、ＣＰＵ２５、ＲＯＭ２６、ＲＡＭ２７、ＨＤＤ（Hard disk drive）２８および接続バス２９を備えている。
【００３２】
ＣＰＵ２５は、中央処理装置であり、広告配信サーバ２０全体を制御する。ＲＯＭ２６は、基本プログラムを記憶し、ＲＡＭ２７は、ＣＰＵ２５が各種演算処理を行うためのワークエリアとして用いられる。また、ＨＤＤ２８は、店内における各電子ＰＯＰ装置１０の配置を示す配置情報テーブル（配置情報記憶部）と、店内における各商品の配置（棚割り）を示す棚割り情報テーブル（棚割り情報記憶部）と、各商品に対応する広告映像ファイルＩＤおよび広告印刷データＩＤを示す広告ファイル一覧表（広告表示データ記憶部）と、上記の広告映像ファイルＩＤ毎にそれぞれ関連付けられた１以上の広告映像ファイルと、上記の広告印刷データＩＤ毎にそれぞれ関連付けられた０以上の広告印刷データと、各電子ＰＯＰ装置１０に配信する広告映像ファイルの広告映像ファイルＩＤおよび広告印刷データの広告印刷データＩＤを示す広告対応表と、をそれぞれ記憶するための記憶領域を有している。
【００３３】
上記の構成により、ＣＰＵ２５は、キーボード２２やマウス２３の操作によって、配置情報テーブルまたは棚割り情報テーブルが修正される（書き換えられる）と、それに伴って広告対応表を書き換える。この場合、商品の位置と、当該商品の広告表示データを表示する電子ＰＯＰ装置１０の位置と、が最も近くなるように、各電子ＰＯＰ装置１０に表示すべき広告映像ファイルを抽出する（広告表示データ抽出部）。また、ＣＰＵ２５は、広告映像ファイルや広告印刷データの追加により、広告ファイル一覧表が更新された場合も、広告対応表を書き換える。さらに、ＣＰＵ２５は、広告対応表の書き換えに伴って、該当する電子ＰＯＰ装置１０に広告映像ファイルを配信する（広告表示データ配信部）。なお、広告対応表自体も、キーボード２２やマウス２３の操作によって、適宜編集することが可能である。さらに、商品サーバと連動して、タイムサービスの時間帯は広告印刷データの配信を中止する（クーポンサービスを実施しない）などの対応も可能である。
【００３４】
ここで、図５および図６を参照し、配置情報テーブル、棚割り情報テーブル、広告ファイル一覧表および広告対応表について、それぞれ具体例を挙げて説明する。なお、これらのテーブルおよび表は、広告配信サーバ２０の表示画面２１上に表示させて、確認できるようになっている。
【００３５】
図５（ａ）は、配置情報テーブルの一例を示す図である。配置情報テーブルは、各電子ＰＯＰ装置１０を一意に特定する情報と、その配置と、を対応付けたものである。ここでは、各電子ＰＯＰ装置１０を一意に特定する情報として、電子ＰＯＰ装置１０の装置名を記憶している。また、配置として、各電子ＰＯＰ装置１０に対応する（最も近接した）陳列棚３０の名称を記憶している。
【００３６】
図５（ｂ）は、棚割り情報テーブルの一例を示す図である。棚割り情報テーブルは、各商品を一意に特定する情報と、その配置と、を対応付けたものである。ここでは、各商品を一意に特定する情報として、商品コードを記憶している。また、配置として、その商品が陳列されている陳列棚３０の名称と、当該陳列棚３０における位置（ここでは、上段、中段、下段のいずれか）を記憶している。
【００３７】
図６（ａ）は、広告ファイル一覧表の一例を示す図である。広告ファイル一覧表は、各商品を一意に特定する情報と、その広告映像ファイルと、その広告印刷データと、を対応付けたものである。ここでは、各商品を一意に特定する情報として、商品コードを記憶している。また、広告映像ファイルとしては、ファイルＩＤを、また広告印刷データとしては、印刷データＩＤを、それぞれ記憶している。なお、「広告映像ファイル」は、広告主（メーカ）が全ての商品に対して製作しているとは限らないため、広告映像ファイルが関連付けられていない商品も存在する。そのような商品については、「広告印刷データ」も関連付けられていない。
【００３８】
図６（ｂ）は、広告対応表の一例を示す図である。広告対応表は、上記に示した配置情報テーブル、棚割り情報テーブルおよび広告ファイル一覧表に基づいて作成される表であり、各電子ＰＯＰ装置１０を一意に特定する情報と、その電子ＰＯＰ装置１０に配信される広告映像ファイルおよび広告印刷データと、を対応付けたものである。広告配信サーバ２０は、当該広告対応表の書き換えに伴って、広告映像ファイルおよび広告印刷データを、該当する電子ＰＯＰ装置１０に配信する。
【００３９】
続いて、図７を参照し、各電子ＰＯＰ装置１０における広告映像ファイルの表示スケジュールについて説明する。ここでは、広告配信サーバ２０が、図６（ｂ）に示した広告対応表に基づいて、広告映像ファイルを配信したものとして説明する。図７（ａ）に示すように、第１電子ＰＯＰ装置１０ａでは、配信された２つの広告映像ファイルを、１表示サイクル当たり「Ｆｉｌｅ００１」→「Ｆｉｌｅ００２」の順序で表示する。また、１表示サイクルの表示（ここでは、２つの広告映像ファイルの表示）を終えると、続けて同じ表示サイクルを循環表示する。この表示順序は、棚割り情報テーブル（図５（ｂ）参照）の「配置」に基づく。つまり、広告配信サーバ２０は、広告対応表（図６（ｂ）参照）を作成する際、対応する商品の陳列棚３０における位置（上段、中段、下段）を考慮して、各電子ＰＯＰ装置１０に対応する広告映像ファイルおよび広告印刷データを列記する。そして、この順序に従って（または、この順序を示す情報を付加して）、広告映像ファイルおよび広告印刷データを各電子ＰＯＰ装置１０に配信する。したがって、第１電子ＰＯＰ装置１０ａでは、上記の順序（すなわち、陳列棚３０における位置）に応じた表示順序で（上段→中段→下段の順序で）、各広告映像ファイルを表示する。
【００４０】
同様に、第２電子ＰＯＰ装置１０ｂでも、図７（ｂ）に示すように、各広告映像ファイルに対応する商品の、陳列棚３０における位置に応じた表示順序で、各広告映像ファイルを表示する。なお、広告印刷データについては、広告配信サーバ２０から、対応する広告映像ファイルと関連付けられて配信され、電子ＰＯＰ装置１０内に記憶される。したがって、広告映像ファイル「Ｆｉｌｅ００１」がディスプレイ１３に表示されている間、タッチパネル１４がタッチされた場合は、「Ｄａｔａ００１」の広告印刷データに基づくクーポン５０を発行する（図６（ｂ）参照）。また、表示対象となる広告映像ファイルが切り替わると、印刷される広告印刷データも切り替わる。
【００４１】
なお、図６（ｂ）に示した広告対応表では、全ての広告映像ファイルに対応して広告印刷データが用意されているが、広告印刷データは必ずしも関連付けられる必要はない。例えば、広告映像ファイル「Ｆｉｌｅ００１」に関連付けられた広告印刷データが存在しない場合、その広告映像ファイルが表示されている間は、タッチパネル１４がタッチされてもクーポン５０を発行しないか、予め電子ＰＯＰ装置１０内に用意されている所定の広告情報（店舗案内や休日情報など）を印刷する。また、１の広告映像ファイルに対応して複数の広告印刷データを用意しても良い。この場合は、その広告映像ファイルが表示されている間、タッチパネル１４がタッチされる毎に、複数の広告印刷データを順番に、またはランダムに印刷することとなる。
【００４２】
次に、図８のフローチャートを参照し、広告配信システムＳＹによる広告映像ファイル（広告表示データ）の変更処理について説明する。なお、上記のとおり、広告配信サーバ２０は、広告映像ファイルの配信と共に広告印刷データも配信するが、説明を容易にするため、ここでは広告印刷データについての言及を省略する。
【００４３】
広告配信サーバ２０は、配置情報テーブルまたは棚割り情報テーブルが変更されると（Ｓ０１：Ｙｅｓ）、各電子ＰＯＰ装置１０に配信すべき広告映像ファイルを抽出し、広告対応表を作成する（Ｓ０２）。また、広告対応表を作成すると、該当する電子ＰＯＰ装置１０に、当該広告対応表に基づく広告映像ファイルを配信する（Ｓ０３）。
【００４４】
電子ＰＯＰ装置１０は、広告配信サーバ２０から広告映像ファイルを受信すると（Ｓ０４：Ｙｅｓ）、ＲＡＭ４３内の所定領域にこれを記憶する（Ｓ０５）。そして、表示サイクルが終了した時点で（Ｓ０６：Ｙｅｓ）、記憶した広告映像ファイルに基づく広告表示データの表示を開始する（Ｓ０７）。このように、表示サイクルの終了を待って新しく配信された広告表示データの表示を開始することで、表示途中で映像が中断されることにより、顧客に不快感を与えることが無い。また、表示ログの管理が容易となる。一方、広告配信サーバ２０から広告映像ファイルを受信しない場合は（Ｓ０４：Ｎｏ）、現在表示している（現在ＲＡＭ４３内に記憶されている）広告映像ファイルに基づく広告表示データの表示を継続する（Ｓ０８）。
【００４５】
なお、上記のＳ０２およびＳ０３では、広告対応表の作成直後に広告映像ファイルを配信するように記載しているが、広告対応表の作成時点で、営業時間内か閉店後かを判別し、営業時間内である場合のみ広告対応表の作成直後に広告映像ファイルを配信し、閉店後の場合は翌日の広告配信サーバ２０立ち上げ時に配信する構成としても良い。この構成によれば、広告配信サーバ２０が広告映像ファイルを配信したにも関わらず、それが電子ＰＯＰ装置１０に反映されない（電子ＰＯＰ装置１０の電源ＯＦＦによりＲＡＭ４３が初期化された場合など）といった問題がない。
【００４６】
以上説明したとおり、本実施形態の広告配信システムＳＹによれば、電子ＰＯＰ装置１０に広告映像ファイルを配信する広告配信サーバ２０が、配置情報および棚割り情報に基づいて、広告ファイル一覧表の中から各表示装置に表示すべき広告映像ファイルを抽出するため、電子ＰＯＰ装置１０や商品配置が変更された場合でも、その変更に伴う配置情報や棚割り情報の変更に基づいて、広告映像ファイルの変更作業を容易に行うことができる。
【００４７】
また、広告配信サーバ２０は、商品の位置と、最も近い位置にある電子ＰＯＰ装置１０に、当該商品の広告表示データを表示するように、広告映像ファイルを抽出するため、電子ＰＯＰ装置１０では、近接した位置に配置された商品の広告表示データを表示することができる。これにより、顧客は、商品広告を見た直後にその商品を手に取ることができるため、売上増加が期待できる。
【００４８】
また、広告配信サーバ２０は、配置情報または棚割り情報の変更に伴って、広告映像ファイルの抽出および配信を行うため、表示装置や商品の配置変更を行った場合、各情報のみを変更すればよく、広告映像ファイルの抽出および配信のための特別な操作を必要としない。また、これにより電子ＰＯＰ装置１０の表示と、商品配置とが常に一致した状態となる（商品から離れた位置でその商品の広告表示データが表示されることがない）ため、高い広告効果を得ることができる。
【００４９】
なお、上記の実施形態では、「配置情報」および「棚割り情報」として、それぞれテーブル形式で記憶したが、配置マップであっても良いし、それぞれの配置を数値または記号で表した配置表であっても良い。
【００５０】
また、上記の実施形態では、商品の位置と、当該商品の広告表示データを表示する電子ＰＯＰ装置１０と、が最も近接するように、各電子ＰＯＰ装置１０に表示すべき広告映像ファイルを抽出するものとしたが、図９（ａ）に示すように、店内の導線（矢印で示す進行方向）にしたがって、商品（Ａａ，Ａｂ，Ａｃ）の位置が、当該商品の広告表示データを表示する電子ＰＯＰ装置１０の位置の下流側となるように、広告映像ファイルを抽出しても良い。つまり、同図の例では、電子ＰＯＰ装置１０ａに、商品Ａｂの広告表示データが表示され、電子ＰＯＰ装置１０ｂに、商品Ａｃの広告表示データが表示されるようにしても良い。
【００５１】
また、図９（ｂ）に示すように、電子ＰＯＰ装置１０の向きを考慮して、通路を歩く顧客が、電子ＰＯＰ装置１０のディスプレイ１３と商品とを同時に視認できるように、広告映像ファイルを抽出しても良い。つまり、同図の例では、電子ＰＯＰ装置１０ａに、商品Ｂａ，Ｂｂの広告表示データが表示され、電子ＰＯＰ装置１０ｂに、商品Ａａ，Ａｂの広告表示データが表示されるようにしても良い。
【００５２】
また、上記の実施形態に示した広告配信システムＳＹ（電子ＰＯＰ装置１０および広告配信サーバ２０）の各構成要素をプログラムとして提供することが可能である。また、そのプログラムを各種記録媒体（ＣＤ−ＲＯＭ、フラッシュメモリ等）に格納して提供することも可能である。すなわち、コンピュータを、広告配信システムＳＹの各手段として機能させるためのプログラム、およびそれを記録した記録媒体も、本発明の権利範囲に含まれる。
【００５３】
その他、広告配信システムＳＹのシステム構成、処理工程等について、本発明の要旨を逸脱しない範囲で、適宜変更が可能である。
【図面の簡単な説明】
【００５４】
【図１】本発明の一実施形態に係る広告配信システムのシステム構成図である。
【図２】電子ＰＯＰ装置の外観斜視図である。
【図３】電子ＰＯＰ装置の制御ブロック図である。
【図４】広告配信サーバの制御ブロック図である。
【図５】配置情報テーブルおよび棚割り情報テーブルの一例を示す図である。
【図６】広告ファイル一覧表および広告対応表の一例を示す図である。
【図７】電子ＰＯＰ装置における表示スケジュールの一例を示す図である。
【図８】広告配信システムにおける広告映像ファイルの変更処理を示すフローチャートである。
【図９】広告映像ファイルを抽出する処理の他の例を示す図である。
【符号の説明】
【００５５】
１０…電子ＰＯＰ装置  ２０…広告配信サーバ  ２１…表示画面  ２２…キーボード  ２３…マウス  ２４…通信部  ２５…ＣＰＵ  ２６…ＲＯＭ  ２７…ＲＡＭ  ２８…ＨＤＤ  ３０…陳列棚  ＮＴ…ネットワーク  ＳＹ…広告配信システム
【図１】
2010020050.tif 000003
【図２】
2010020050.tif 000004
【図３】
2010020050.tif 000005
【図４】
2010020050.tif 000006
【図５】
2010020050.tif 000007
【図６】
2010020050.tif 000008
【図７】
2010020050.tif 000009
【図８】
2010020050.tif 000010
【図９】
2010020050.tif 000011